(57)【特許請求の範囲】
【請求項１】
事業所ごとに設置され、図面を作成するＣＡＤ端末装置と、上記図面の管理に係わる管理データを伝送線を介して収集し、上記図面の管理に係わる統計データを求める統計処理装置とを有した図面管理方式において、
上記ＣＡＤ端末装置による新規図面の作成時に、新規図面作成に係わる管理データを格納する新規図面作成ログファイルと、
上記ＣＡＤ端末装置による図面の改訂時に、図面改訂に係わる管理データを格納する図面改訂ログファイルと、
上記ＣＡＤ端末装置による図面の出図時に、出図に係わる管理データを格納する出図ログファイルとを備え、
上記統計処理装置が、所定期間ごとに、上記新規図面作成ログファイル、上記図面改訂ログファイル及び上記出図ログファイルから、上記管理データを収集し、上記統計データを求めることを特徴とする図面管理方式。
【請求項２】
出図に係わる管理データとして、図面を紙で出力するか電子ファイルで出力するかを区別するための情報を含めることを特徴とする請求項１記載の図面管理方式。
【請求項３】
統計処理装置が、
各事業所の新規図面作成ログファイルから収集された管理データを蓄積する新規図面作成集積ログファイルと、
この新規図面作成集積ログファイルに蓄積された管理データに基づき、新規図面作成に係わる統計データを求める新規図面作成統計処理手段と、
上記統計データに基づき、表作成処理を行い統計資料を出力する表作成手段とを備えたことを特徴とする請求項１記載の図面管理方式。
【請求項４】
統計処理装置が、
各事業所の図面改訂ログファイルから収集された管理データを蓄積する図面改訂集積ログファイルと、
この図面改訂集積ログファイルに蓄積された管理データに基づき、図面改訂に係わる統計データを求める図面改訂統計処理手段と、
上記統計データに基づき、表作成処理を行い統計資料を出力する表作成手段とを備えたことを特徴とする請求項１記載の図面管理方式。
【請求項５】
統計処理装置が、
各事業所の出図ログファイルから収集された管理データを蓄積する出図集積ログファイルと、
この出図集積ログファイルに蓄積された管理データに基づき、出図に係わる統計データを求める出図統計処理手段と、
上記統計データに基づき、表作成処理を行い統計資料を出力する表作成手段とを備えたことを特徴とする請求項１記載の図面管理方式。
【請求項６】
統計処理装置が、
テスト等で使用する図面番号を管理し統計処理から削除する管理データを指示するデータを格納した削除図面定義ファイルを備え、
新規図面作成統計処理手段、図面改訂統計処理手段又は出図統計処理手段が、上記統計データを求める際に、上記削除図面定義ファイルに格納されたデータに基づき、統計処理の不要なデータを上記統計処理から除外し、除外したデータに基づき、上記統計処理の妥当性を確認することを特徴とする請求項３から請求項５のうちのいずれか１項記載の図面管理方式。
【発明の詳細な説明】
【０００１】
【発明の属する技術分野】
この発明は、ＣＡＤ（Ｃｏｍｐｕｔｅｒ  Ａｉｄｅｄ  Ｄｅｓｉｇｎ）で作成された顧客提出用設計提案図面データ等の図面管理方式に関するもので、特に分散した図面作成拠点で作成した設計図面の管理に係わる統計処理に関するものである。
【０００２】
【従来の技術】
従来の図面管理方式として、特開平７−１２９７４４号公報に示されたものがある。これは、ＣＡＤシステムと、このＣＡＤシステムにより製作された図面の管理情報を登録する管理データベースとをネットワークに接続し、管理データベースに手書き文書に関する管理情報も登録することにより、手書き文書とＣＡＤシステムにより製作された図面の一元管理を行うものである。
【０００３】
また、他の従来の図面管理方式として、特開平２−８９１８１号公報に示されたものがある。これは、図面番号や図面に関する管理情報を格納したデータベースと、図面番号の管理に関する処理、図面の管理に関する処理、これらの処理に関する統計処理を行う処理装置とを備え、図面管理業務の効率化をはかるものである。
【０００４】
【発明が解決しようとする課題】
従来の図面管理方式は以上のように構成されているので、完成した設計図面に対して、登録、改定、複写、貸出等を管理したり、その統計処理を行っているため、例えば、図面が顧客との打ち合わせにより変更になって修正されたり、又は途中で顧客の要望を満たせず、図面の作成が中止された場合等の履歴を残すことができず、図面が完成するまでの状況が把握できないという課題があった。
【０００５】
また、作成したＣＡＤ図面を紙の図面として顧客に提出したのか、フレキシブルディスク等の電子ファイルで提出したのかが判別出来ないという課題があった。
【０００６】
この発明は上記のような課題を解決するためになされたもので、複数の事業所に分散したＣＡＤ図面の作成状況、改訂状況及び顧客への図面の提出状況の履歴を伝送線を介して把握する図面管理方式を得ることを目的とする。
【０００７】
【課題を解決するための手段】
この発明に係る図面管理方式は、事業所ごとに設置され、図面を作成するＣＡＤ端末装置と、上記図面の管理に係わる管理データを伝送線を介して収集し、上記図面の管理に係わる統計データを求める統計処理装置とを有したものにおいて、上記ＣＡＤ端末装置による新規図面の作成時に、新規図面作成に係わる管理データを格納する新規図面作成ログファイルと、上記ＣＡＤ端末装置による図面の改訂時に、図面改訂に係わる管理データを格納する図面改訂ログファイルと、上記ＣＡＤ端末装置による図面の出図時に、出図に係わる管理データを格納する出図ログファイルとを備え、上記統計処理装置が、所定期間ごとに、上記新規図面作成ログファイル、上記図面改訂ログファイル及び上記出図ログファイルから、上記管理データを収集し、上記統計データを求めるものである。
【０００８】
この発明に係る図面管理方式は、出図に係わる管理データとして、図面を紙で出力するか電子ファイルで出力するかを区別するための情報を含めるものである。
【０００９】
この発明に係る図面管理方式は、統計処理装置が、各事業所の新規図面作成ログファイルから収集された管理データを蓄積する新規図面作成集積ログファイルと、この新規図面作成集積ログファイルに蓄積された管理データに基づき、新規図面作成に係わる統計データを求める新規図面作成統計処理手段と、上記統計データに基づき、表作成処理を行い統計資料を出力する表作成手段とを備えたものである。
【００１０】
この発明に係る図面管理方式は、統計処理装置が、各事業所の図面改訂ログファイルから収集された管理データを蓄積する図面改訂集積ログファイルと、この図面改訂集積ログファイルに蓄積された管理データに基づき、図面改訂に係わる統計データを求める図面改訂統計処理手段と、上記統計データに基づき、表作成処理を行い統計資料を出力する表作成手段とを備えたものである。
【００１１】
この発明に係る図面管理方式は、統計処理装置が、各事業所の出図ログファイルから収集された管理データを蓄積する出図集積ログファイルと、この出図集積ログファイルに蓄積された管理データに基づき、出図に係わる統計データを求める出図統計処理手段と、上記統計データに基づき、表作成処理を行い統計資料を出力する表作成手段とを備えたものである。
【００１２】
この発明に係る図面管理方式は、統計処理装置が、テスト等で使用する図面番号を管理し統計処理から削除する管理データを指示するデータを格納した削除図面定義ファイルを備え、新規図面作成統計処理手段、図面改訂統計処理手段又は出図統計処理手段が、上記統計データを求める際に、上記削除図面定義ファイルに格納されたデータに基づき、統計処理の不要なデータを上記統計処理から除外し、除外したデータに基づき、上記統計処理の妥当性を確認するものである。
【００１３】
【発明の実施の形態】
以下、この発明の実施の一形態を説明する。
実施の形態１．
図１は実施の形態１による図面管理方式の構成を示すブロック図である。図において、１ａ，１ｂはそれぞれ事業所Ａ，ＢのＣＡＤ端末装置、２ａ，２ｂはそれぞれ事業所Ａ，Ｂの新規図面作成ログファイルであり、ＣＡＤ端末装置１ａ，１ｂによる新規図面作成時に、自動作図パラメータデータから作成されるログデータを、新規図面作成に係わる管理データとして格納する。３ａ，３ｂはそれぞれ事業所Ａ，Ｂの図面改訂ログファイルであり、ＣＡＤ端末装置１ａ，１ｂによる図面改訂時に作成されるログデータを、図面改訂に係わる管理データとして格納する。４ａ，４ｂは出図ログファイルであり、ＣＡＤ端末装置１ａ，１ｂによる出図時に作成されるログデータを、出図に係わる管理データとして格納する。
【００１４】
また、５は、サーバ等により構成され、各ＣＡＤ端未装置１ａ，１ｂから転送された各種の管理データをもとに、所定の統計処理を行う統計処理装置、６はＣＡＤ端未装置１ａ，１ｂや統計処理装置５が接続された伝送線、７は広域にわたり伝送を行う広域伝送線、８は伝送線６や広域伝送線７に伝送されるデータを中継するノードである。
【００１５】
新規図面作成ログファイル２ａ，２ｂに格納された管理データは、新規図面作成時に取り込まれるデータであり、図面番号、図面名称、図面の作成日付、図面の種類（製作図、外形図、組立図等）、図面により実現される製品機種、図面の作成者や設計者等の新規図面の作成に係わるものである。
【００１６】
また、図面改訂ログファイル３ａ，３ｂに格納された管理データは、作成された図面の改定時に取り込まれるデータであり、図面番号、図面名称、図面の改訂日付、図面の種類、製品機種、図面の改訂者や改訂追番等の図面の改訂に係わるものである。
【００１７】
さらに、出図ログファイル４ａ，４ｂに格納された管理データは、作成された図面の出図時に取り込まれるデータであり、図面番号、図面名称、出図日付、図面の種類、製品機種、出図先、部数、紙で出力するかフレキシブルディスク等の電子ファイルとして出力するかの出力形態等の図面の出図に係わるものである。
【００１８】
図２は統計処理装置５の構成を示すブロック図である。図において、１１は、事業所Ａ，Ｂの新規図面作成ログファイル２ａ，２ｂから収集された管理データを蓄積する新規図面作成集積ログファイル、１２は、事業所Ａ，Ｂの図面改訂ログファイル３ａ，３ｂから収集された管理データを蓄積する図面改訂集積ログファイル、１３は、事業所Ａ，Ｂの出図ログファイル４ａ，４ｂから収集された管理データを蓄積する出図集積ログファイルである。
【００１９】
１４は作図拠点定義ファイルで、事業所Ａ，ＢにおけるＣＡＤ端末装置１ａ，１ｂの名称、台数を定義するデータファイルである。１５は作成する図面の種類を定義する図面種類定義ファイル、１６は作成する図面の機種を定義する機種定義ファイル、１７は削除図面定義ファイルで、テスト等で使用する図面番号や図面名称を管理し、統計処理から削除する管理データを指示するデータを格納したデータファイルである。ここでは、テスト等で使用する図面番号は、正規に出図する図面番号と体系の異なる図面番号体系を採用し、図面番号を見るだけで、正規に出図予定の図面と区別ができるようになっている。
【００２０】
２１は新規図面の作成に係わる管理データをもとに統計処理を行う新規図面作成統計処理手段、２２は図面の改訂に係わる管理データをもとに統計処理を行う図面改訂統計処理手段、２３は図面の出図に係わる管理データをもとに統計処理を行う出図統計処理手段である。また、３１，３２，３３は、新規図面作成統計処理手段２１，図面改訂統計処理手段２２，出図統計処理手段２３がそれぞれ統計処理を行う際に、削除図面定義ファイル１７の指示により除外されたログデータを蓄積する除外データファイルである。
【００２１】
４１は、新規図面作成統計処理手段２１により統計処理された統計データを蓄積する新規図面作成統計データファイル、４２は、図面改訂統計処理手段２２により統計処理された統計データを蓄積する図面改訂統計データファイル、４３は、出図統計処理手段２３により統計処理された統計データを蓄積する出図統計データファイルである。
【００２２】
また、５１は、新規図面作成統計データファイル４１，図面改訂統計データファイル４２，出図統計データファイル４３に蓄積された統計データをもとに表作成処理を行い統計資料を出力する表作成手段であり、６１，６２は、この統計処理装置５の入力端子、出力端子である。
【００２３】
図２において、統計処理装置５の各構成要素を総合的に制御する制御手段、統計処理の結果を表示する表示手段等が実際には存在するが、ここでは省略されている。
【００２４】
次に動作について説明する。
ＣＡＤ端末装置１ａ，１ｂにより新規図面を作成するときには、図面番号、図面名称、図面の作成日付、図面の種類、製品機種、図面の作成者や設計者等の新規図面の作成に係わる管理データが入力され、そしてこれらの管理データは、新規図面を作成するたびに新規図面作成ログファイル２ａ，２ｂに格納される。
【００２５】
ＣＡＤ端末装置１ａ，１ｂにより図面を改訂するときには、図面番号、図面名称、図面の改訂日付、図面の種類、製品機種、図面の改訂者や改訂追番等の図面の改訂に係わる管理データが入力され、そしてこれらの管理データは、図面を改訂するたびに図面改訂ログファイル３ａ，３ｂに格納される。
【００２６】
ＣＡＤ端末装置１ａ，１ｂにより図面を出図するときには、図面番号、図面名称、出図日付、図面の種類、製品機種、出図先、部数、出力形態等の図面の出図に係わる管理データが入力され、そしてこれらの管理データは、図面を出図するたびに出図ログファイル４ａ，４ｂに格納される。ここで、図面の出力形態として、プロッタ装置、レーザープリンタ装置、ファクシミリ装置等により紙で出力するものと、フレキシブルディスク装置、光ディスク装置、テープ装置等により電子ファイルとして出力するものを区別する。
【００２７】
統計処理装置５は、例えば１ヶ月等の所定の期間ごとに、ＣＡＤ端末装置１ａ，１ｂに対して、新規図面作成ログファイル２ａ，２ｂ，図面改訂ログファイル３ａ，３ｂ，出図ログファイル４ａ，４ｂに格納された各管理データの転送を要求する。
【００２８】
そして、ＣＡＤ端末装置１ａ，１ｂが、要求された管理データを統計管理装置５に転送すると、統計処理装置５は、転送された新規図面作成ログファイル２ａ，２ｂからの管理データを新規図面作成集積ログファイル１１に、転送された図面改訂ログファイル３ａ，３ｂからの管理データを図面改訂集積ログファイル１２に、転送された出図ログファイル４ａ，４ｂからの管理データを出図集積ログファイル１３に、それぞれ蓄積し、所定期間ごとの集積ログファイルとして保存する。
【００２９】
新規図面作成統計データを求めるときには、新規図面作成統計処理手段２１は、新規図面作成集積ログファイル１１，作図拠点定義ファイル１４，図面種類定義ファイル１５，機種定義ファイル１６，削除図面定義ファイル１７を参照して統計処理を行い、要求された新規図面作成統計データを作成し、新規図面作成統計データファイル４１に格納する。
【００３０】
このとき、新規図面作成集積ログファイル１１に蓄積されている管理データの中で、テスト等で使用された図面等で統計処理が不要なデータについては、削除図面定義ファイル１７に格納されたデータに基づき、正規出図予定の図面番号と区別することにより統計処理から除外し、除外データファイル３１に格納する。統計処理装置５は、この除外データファイル３１に格納されたデータをチェックして、新規図面作成統計処理手段２１が行った統計処理の妥当性を判断する。
【００３１】
また、図面改訂統計データを求めるときには、図面改訂統計処理手段２２は、図面改訂集積ログファイル１２，作図拠点定義ファイル１４，図面種類定義ファイル１５，機種定義ファイル１６，削除図面定義ファイル１７を参照して統計処理を行い、要求された図面改訂統計データを作成し、図面改訂統計データファイル４２に格納する。
【００３２】
このとき、図面改訂集積ログファイル１２に蓄積されている管理データの中で、テスト等で使用された図面等で統計処理が不要なデータについては、削除図面定義ファイル１７に格納されたデータに基づき、正規出図予定の図面番号と区別することにより統計処理から除外し、除外データファイル３２に格納する。統計処理装置５は、この除外データファイル３２に格納されたデータをチェックして、図面改訂統計処理手段２２が行った統計処理の妥当性を判断する。
【００３３】
さらに、出図統計データを求めるときには、出図統計処理手段２３は、出図集積ログファイル１３，作図拠点定義ファイル１４，図面種類定義ファイル１５，機種定義ファイル１６，削除図面定義ファイル１７を参照して統計処理を行い、要求された出図統計データを作成し、出図統計データファイル４３に格納する。
【００３４】
このとき、出図集積ログファイル１３に蓄積されている管理データの中で、テスト等で使用された図面等で統計処理が不要なデータについては、削除図面定義ファイル１７に格納されたデータに基づき、正規出図予定の図面番号と区別することにより統計処理から除外し、除外データファイル３３に格納する。統計処理装置５は、この除外データファイル３３に格納されたデータをチェックして、出図統計処理手段２３が行った統計処理の妥当性を判断する。
【００３５】
求めた各種の統計データを出力するときには、表作成手段５１は、新規図面作成統計データファイル４１，図面改訂統計データファイル４２，出図統計データファイル４３に格納された各種の統計データの中から必要な統計データを抽出し、指定された様式の表を作成し統計資料として出力する。
【００３６】
以上の処理を行うことにより、事業所別、機種別、図面種類別のＣＡＤ端未装置の新規図面作成枚数、改定図面枚数、出図枚数や、図面毎の改訂回数、改訂された図面の出図回数や、図面毎の作成、改訂、出図等の経緯と期間や、出図まで行った図面と未完成の図面の割合や、事業所毎のＣＡＤ図面作成効率等を算出した統計資料が作成される。
【００３７】
なお、この実施の形態では、新規図面作成統計処理手段２１，図面改訂統計処理手段２２，出図統計処理手段２３の統計処理を同時に行っているが、所定期間ごとに、新規図面作成集積ログファイル１１，図面改訂集積ログファイル１２，出図集積ログファイル１３に、各管理データを収集し蓄積しておけば、上記統計処理は、必要の都度、別々に処理しても良い。
【００３８】
また、この実施の形態では、事業所をＡ，Ｂの２個所としているが、２個所以上であっても良く、各事業所におけるＣＡＤ端未装置をそれぞれ１台としているが、１台以上であっても良い。さらにこの実施の形態では、新規図面作成ログファイル２ａ，２ｂ、図面改訂ログファイル３ａ，３ｂ、出図ログファイル４ａ，４ｂをＣＡＤ端末装置１ａ，１ｂ側に備えているが、統計処理装置５側に備えても良い。
【００３９】
以上のように、この実施の形態１によれば、複数の事業所に分散したＣＡＤ図面の作成状況、改訂状況及び顧客への図面の提出状況等の所定期間ごとの履歴を把握することができるという効果が得られる。
【００４０】
また、作成したＣＡＤ図面を紙の図面として顧客に提出したのか、フレキシブルディスク等の電子ファイルとして提出したのか区別できると共に、統計データから除外したデータを除外データファイルに格納し、除外データファイルに格納されたデータをチェックし、統計処理された統計データの妥当性を確認することにより、統計データの信頼性を高めることができるという効果が得られる。
【００４１】
【発明の効果】
以上のように、この発明によれば、各事業所に分散したＣＡＤ図面の作成状況、改訂状況及び顧客への図面の提出状況等の所定期間ごとの履歴を把握することができるという効果がある。
【００４２】
この発明によれば、出図の際に、紙で出力したか電子ファイルとして出力したかを区別できるという効果がある。
【００４３】
この発明によれば、統計処理から除外したデータに基づき、統計処理された統計データの妥当性を確認することにより、統計データの信頼性を高めることができるという効果がある。
【図面の簡単な説明】
【図１】  この発明の実施の形態１による図面管理方式の構成を示すブロック図である。
【図２】  この発明の実施の形態１による統計処理装置の構成を示すブロック図である。
【符号の説明】
１ａ，１ｂ  ＣＡＤ端末装置、２ａ，２ｂ  新規図面作成ログファイル、３ａ，３ｂ  図面改訂ログファイル、４ａ，４ｂ  出図ログファイル、５  統計処理装置、６  伝送線、１１  新規図面作成集積ログファイル、１２  図面改訂集積ログファイル、１３  出図集積ログファイル、１７  削除図面定義ファイル、２１  新規図面作成統計処理手段、２２  図面改訂統計処理手段、２３  出図統計処理手段、５１  表作成手段。
【図１】
0004149032.tif 000002
【図２】
0004149032.tif 000003